(57)【要約】  電気コネクタをケーブル（１０６）に終端するためのフェルールアセンブリ（１５０）は、内側フェルール（２４２）、外側フェルール（２４４）、及び内側フェルールスリーブ（２４６）を含む。内側フェルールは、内面（２７２）及び外面（２６４）を有する。内側フェルールは導電性であり、電気シールドを行う。外側フェルールは、ケーブルシールド（２２６）が内側フェルールと外側フェルールの間に受け取られるように内側フェルールの半径方向外側に位置する。外側フェルールは、内側フェルールと外側フェルールの間にケーブルシールドを固定する。内側フェルールスリーブは、内側フェルールの半径方向内側に位置する。内側フェルールスリーブは、内側フェルールとケーブルの内側ジャケット（２２４）との間の空間（２８６）を実質的に満たす。内側フェルールスリーブは誘電体であり、内側フェルールをケーブルの内部導体（２２２）から電気的に絶縁する。【選択図】図６
2019523536.tif 000002
【特許請求の範囲】
【請求項１】
電気コネクタ（１０４）をケーブル（１０６）に終端するためのフェルールアセンブリ（１５０）であって、前記フェルールアセンブリは、
内面（２７２）および外面（２６４）を有する内側フェルール（２４２）と、外側フェルール（２４４）と、前記内側フェルールの半径方向内側に位置決めされた内側フェルールスリーブ（２４６）とを含み、
前記内側フェルール（２４２）は、導電性であり、電気シールドを提供し、
前記外側フェルール（２４４）は、前記ケーブルのケーブルシールド（２２６）が前記内側フェルールと前記外側フェルールとの間に受け取られるように前記内側フェルールの半径方向外側に位置決めされ、前記内側フェルールと前記外側フェルールとの間に前記ケーブルシールドを固定し、
前記内側フェルールスリーブ（２４６）は、前記内側フェルールと前記ケーブルの内側ジャケット（２２４）との間の空間（２８６）を実質的に満たし、誘電体であり、前記内側フェルールを前記ケーブルの内部導体（２２２）から電気的に絶縁する、フェルールアセンブリ。
【請求項２】
前記内側フェルールスリーブ（２４６）は、前記内側フェルール（２４２）の前記内面（２７２）に係合する外面（２６４）を有し、前記内側フェルールスリーブは、前記ケーブル（１０６）の前記内側ジャケット（２２４）に直接係合するように構成さた内面（２６６）を有する、請求項１に記載のフェルールアセンブリ（１５０）。
【請求項３】
前記内側フェルールスリーブ（２４６）は、前記内側フェルールスリーブの前記内面（２６６）から内部に延びる締まり嵌め隆起（２６８）を含み、前記締まり嵌め隆起は、前記ケーブル（１０６）の前記内側ジャケット（２２４）に埋め込まれるように構成される、請求項２に記載のフェルールアセンブリ（１５０）。
【請求項４】
前記内側フェルールスリーブ（２４６）は、前記内側フェルールスリーブの後部（２５２）にリップ（２５４）を含み、前記リップは、前記内側フェルール（２４２）の後縁部（２７０）に係合する、請求項１に記載のフェルールアセンブリ（１５０）。
【請求項５】
前記内側フェルールスリーブ（２４６）は、前記内側フェルールスリーブの前部（２５０）と後部（２５２）との間に前記内側フェルールスリーブに沿って長さ方向に延びる切れ目（２５６）を含み、前記切れ目により、前記内側フェルールスリーブは、前記内側フェルール（２４２）に嵌まるように直径が可変である、請求項１に記載のフェルールアセンブリ（１５０）。
【請求項６】
前記内側フェルールスリーブ（２４６）は、前記内側フェルール（２４２）と前記内側ジャケット（２２４）との間を前記ケーブルシールドのストランドが通ることを妨げる、請求項１に記載のフェルールアセンブリ（１５０）。
【請求項７】
前記外側フェルール（２４４）は、前記外側フェルール（２４４）と前記内側フェルール（２４２）との間にある前記ケーブルシールドとともに、前記内側フェルール（２４２）に圧着される、請求項１に記載のフェルールアセンブリ（１５０）。
【発明の詳細な説明】
【技術分野】
【０００１】
本明細書の主題は、一般に、シールド電気コネクタをケーブルの端部に終端するためのフェルールアセンブリに関する。
【背景技術】
【０００２】
既知の電気コネクタは、ケーブルの端部に終端される。一般に、ケーブルの張力緩和を行うために、フェルールが電気コネクタのハウジングの端部に設けられる。いくつかの既知の電気コネクタは、電気コネクタのシールドをケーブルのケーブルシールドに電気的に接続する。しかしながら、いくつかの既知のケーブルは、ケーブルシールドを形成するために一緒に編組された導電性ストランドを有する編組ケーブルシールドを使用する。ストランドは、ケーブルの内部導体またはハウジング内の電気コネクタの端子との短距離内の接近やそれらとの接触による影響を受けやすい。そのような状況では、ケーブル編組が導体に電気短絡することにつながる。
【発明の概要】
【発明が解決しようとする課題】
【０００３】
いくつかの既知のコネクタは、ケーブルシールドをフェルールの外面まで引き回す。しかしながら、フェルールの内面とケーブルの内側ジャケットとの間に依然として間隙が存在することがある。フェルールをケーブルに組み立て中などに、一部のストランドが間隙内でフェルールの内部に不注意で入れられることがある。間隙を通るストランドは、ケーブル編組を内部導体に短絡させることがある。シールド電気コネクタをケーブルの端部に終端させるためのフェルールアセンブリに対して、内部導体へのケーブル網組の短絡を避けるニーズが残っている。
【課題を解決するための手段】
【０００４】
この問題は、内側フェルール、外側フェルール、および内側フェルールスリーブを含む、本明細書に記載するような電気コネクタをケーブルに終端させるためのフェルールアセンブリによって解決される。内側フェルールは、内面および外面を有する。内側フェルールは、導電性であり、電気シールドを提供する。外側フェルールは、ケーブルのケーブルシールドが内側フェルールと外側フェルールとの間に受け取られるように内側フェルールの半径方向外側に位置決めされる。外側フェルールは、内側フェルールと外側フェルールとの間にケーブルシールドを固定する。内側フェルールスリーブは、内側フェルールの半径方向内側に位置決めされる。内側フェルールスリーブは、内側フェルールとケーブルの内側ジャケットとの間の空間を実質的に満たす。内側フェルールスリーブは、誘電体であり、内側フェルールをケーブルの内部導体から電気的に絶縁する。
本発明について、添付図面を参照しながら例示により説明する。
【図面の簡単な説明】
【０００５】
【図１】例示的な実施形態に従って形成された電気コネクタを含む電力コネクタシステムの斜視図である。
【図２】電力ケーブルに終端されたプラグ端子を示す電力コネクタシステムの一部分の斜視図である。
【図３】例示的な実施形態による電力ケーブルとフェルールアセンブリの一部分との斜視図である。
【図４】例示的な実施形態によるフェルールアセンブリの内側フェルールスリーブの斜視図である。
【図５】内側フェルールに受け取られた内側フェルールスリーブを示すフェルールアセンブリの一部分の斜視図である。
【図６】部分的に組み立てられた状態のフェルールアセンブリおよび電力ケーブルの断面図である。
【図７】組み立てられた状態のフェルールアセンブリおよび電力ケーブルの断面図である。
【図８】組み立てられた状態のフェルールアセンブリおよび電力ケーブルの一部分の断面図である。
【図９】電力ケーブルに終端されたフェルールアセンブリの一部分の断面図である。
【発明を実施するための形態】
【０００６】
図１は、例示的な実施形態に従って形成された電気コネクタ１０２、１０４を含む電力コネクタシステム１００の斜視図である。例示的な実施形態では、電力コネクタシステム１００の電気コネクタ１０２、１０４は、ヘッダコネクタ１０２、およびヘッダコネクタ１０２に嵌合するように構成されたプラグコネクタ１０４である。プラグコネクタ１０４は、ヘッダコネクタ１０２に嵌合するように用意されて示されている。例示的な実施形態において、電力コネクタシステム１００は、高電力回路の一部として様々な構成要素間で電力を移送するために使用される高電力コネクタシステムである。特定の用途では、電力コネクタシステム１００は、電気車両またはハイブリッド電気車両などの車両のバッテリシステムなどのバッテリシステムであるが、しかしながら、電力コネクタシステム１００は、そのようなバッテリシステムに限定されるものではない。
【０００７】
プラグコネクタ１０４は、１つまたは複数の電力ケーブル１０６などを介して構成要素１１０に電気的に接続されるように構成される。ケーブル１０６は、電力を伝達するように構成された電力ケーブル１０６とすることができる。例えば、プラグコネクタ１０４は、バッテリ、充電器、インバータ、電気モータ、または別のタイプの構成要素に電気的に接続され得る。ヘッダコネクタ１０２は、電力バス１０８などを介して構成要素１１２に電気的に接続されるように構成されるが、しかしながら、ヘッダコネクタ１０２は、端子、電力線、または他のコネクタなどの他の手段によって構成要素１１２に電気的に接続されてもよい。例えば、ヘッダコネクタ１０２は、バッテリ分配ユニット、手動サービスディスコネクト、充電器、インバータ、電気モータ、または別のタイプの構成要素などを介してバッテリパックに電気的に接続されてもよい。
バッテリ分配ユニットは、電流を測定しバッテリパックの電力分配を調整することなどによって電力コネクタシステム１００の電力容量および機能を管理することができる。
【０００８】
電力コネクタシステム１００は、コネクタ１０２とコネクタ１０４とが電力線に対して垂直な方向で嵌合する直角コネクタシステムである。オプションとして、プラグコネクタ１０４は、メンテナンス、修理、または別の理由などのために、バッテリパック、電気モータ、インバータ、または車両の他の構成要素など、１つまたは複数の構成要素の高電力回路を切断するようにヘッダコネクタ１０２に着脱自在に結合されてもよい。嵌合するとき、ヘッダコネクタ１０２の１つまたは複数のヘッダ端子１１４は、プラグコネクタ１０４の対応するプラグ端子１１６（図２に示す）にそれらの嵌合界面などで嵌合する。端子１１４および／または１１６の数が多くなると、システム１００の電流搬送容量が増大する。オプションとして、各プラグ端子１１６は、対応する電力ケーブル１０６に終端されてもよい。
【０００９】
例示的な実施形態において、ヘッダコネクタ１０２および／またはプラグコネクタ１０４は、コネクタ１０２、１０４の開閉または嵌合・嵌合解除の間、高電圧電力回路を制御する高電圧インタロック（ＨＶＩＬ）回路を含むことができる。例えば、両方のコネクタ１０２、１０４は、対応するＨＶＩＬ端子を含むことができる。ＨＶＩＬ回路は、構成要素１１２および／または構成要素１１０に電気的に接続され得る。例示的な実施形態において、プラグコネクタ１０４はレバー１１８を利用してコネクタ１０２、１０４を嵌合解除および／または嵌合でき、それにより、コネクタ１０２、１０４の嵌合解除／嵌合の際に高電圧回路およびＨＶＩＬ回路を開／閉することができる。
端子１１６、１１４を開くかまたは嵌合解除する前に高電圧回路を遮断するために、嵌合解除の際にＨＶＩＬ回路が最初に開かれてもよく、それにより、アーク放電などからの損傷の可能性を低下させることができる。例示的な実施形態では、コネクタ１０２、１０４の高電圧導電面は、フィンガプルーフおよびタッチセーフである。
【００１０】
ヘッダコネクタ１０２は、嵌合端部１２２を有するヘッダハウジング１２０を含む。ヘッダハウジング１２０は、１つまたは複数のヘッダ端子１１４を保持する。オプションとして、ヘッダ端子１１４は、以下でさらに詳細に説明するように、プラグ端子１１６の両側と嵌合するようにソケットの両側にばねビームによって画定されたソケットを有するフォーク端子とすることができる。しかしながら、他のタイプのヘッダ端子が、代替実施形態では使用されてもよい。ヘッダ端子１１４は、ヘッダ端子１１４を保護するためにシュラウドで覆われてもよい。例えば、ヘッダ端子１１４は、ヘッダ端子１１４がタッチセーフとなるようにカバーまたはタッチガード１２４を有することができる。
ヘッダハウジング１２０は、シャーシまたは他の支持構造体などの別の構成要素にヘッダハウジング１２０を装着するためのフランジ１２６を含む。オプションとして、ヘッダハウジング１２０は水平に装着されてもよい。しかしながら、代替実施形態では他の配向が可能である。例示的な実施形態において、ヘッダハウジング１２０は、ヘッダコネクタ１０２と電気コネクタ１０４との嵌合をガイドするためのガイド機構１２８を含む。例えば、ガイド機構１２８は、リブ、ポスト、スロット、キー機構、または他のタイプのガイド機構とすることができる。
【００１１】
プラグコネクタ１０４は、ヘッダハウジング１２０に結合するように構成されたプラグハウジング１３０を含む。プラグハウジング１３０は、嵌合端部１３２と、ケーブル端部１３４とを含む。電力ケーブル１０６は、ケーブル端部１３４から延びる。嵌合端部１３２は、ヘッダハウジング１２０の嵌合端部１２２に嵌合する。例示的な実施形態では、ハウジング１３０は、嵌合軸１３６に沿った嵌合方向に対して垂直の電力ケーブル１０６およびプラグ端子１１６を保持する直角ハウジングである。電力ケーブル１０６は、嵌合軸１３６に対して直角である。代替実施形態では、他の方向が可能である。
【００１２】
例示的な実施形態では、レバー１１８は、ハウジング１３０に回転自在に結合される。レバー１１８は、プラグコネクタ１０４をヘッダコネクタ１０２に固定するために、ヘッダハウジング１２０、例えば対応するガイド機構１２８などに係合するように構成される。オプションとして、レバー１１８は、プラグコネクタ１０４のヘッダコネクタ１０２に対する嵌合・嵌合解除を制御するために、対応するガイド機構１２８を受け取るスロットを含むことができる。
例えば、レバー１１８が回転されて閉じるとき、ハウジング１３０をヘッダハウジング１２０上に引き下ろすことができる。逆に、レバー１１８が引き上げられるとき、ハウジング１３０は、ヘッダハウジング１２０から押し離され、ヘッダハウジング１２０から嵌合解除され得る。電力コネクタシステム１００の高電力回路およびＨＶＩＬ回路は、プラグコネクタ１０４がヘッダコネクタ１０２から嵌合解除されおよびヘッダコネクタ１０２に嵌合するとき、開かれおよび閉じられ得る。
【００１３】
プラグコネクタ１０４は、プラグコネクタ１０４に電気シールドを提供するためにシールド１４６（一部分のみが図１に示されており、シールド１４６はハウジング１３０の内部に設けられている）を含む。シールド１４６は、プラグ端子１１６に電気シールドを提供するためにプラグ端子１１６を囲む。シールド１４６は、電力ケーブル１０６のシールドに電気的に接続されるように構成される。シールド１４６は、ヘッダコネクタ１０２に電気的に接続されるように構成されてもよい。
【００１４】
例示的な実施形態では、プラグコネクタ１０４は、ケーブル端部１３４にフェルールアセンブリ１５０を含む。フェルールアセンブリ１５０は、プラグコネクタ１０４を電力ケーブル１０６に終端するために使用される。フェルールアセンブリ１５０は、電力ケーブル１０６に機械的におよび／または電気的に接続され得る。例えば、フェルールアセンブリ１５０は、ケーブル１０６のケーブルシールドに電気的に接続され得る。フェルールアセンブリ１５０は、締まり嵌めまたは摩擦嵌めによってケーブル１０６に機械的に接続され得る。フェルールアセンブリ１５０は、圧着接続によってケーブル１０６に機械的に接続され得る。フェルールアセンブリ１５０は、プラグハウジング１３０の一部に接続されてもよく、および／またはプラグハウジング１３０の一部を形成してもよい。
例えば、フェルールアセンブリ１５０は、プラグハウジング１３０のケーブル端部１３４に固定される端末キャップ１５２を含むことができる。端末キャップ１５２は、ラッチ、留め具、または他の固定機構によって固定されてもよい。フェルールアセンブリ１５０は、シールド１４６の一部を含んでもよく、および／またはシールド１４６に電気的に接続されてもよい。
【００１５】
図２は、電力ケーブル１０６に終端されたプラグ端子１１６を示す電力コネクタシステム１００の一部分の斜視図である。例示的な実施形態では、プラグ端子１１６は電力ケーブル１０６に溶接される。プラグ端子１１６は、代替実施形態では圧着などの他の手段で電力ケーブル１０６に終端されてもよい。図示の実施形態では、プラグ端子１１６は、タブ端子であり、以下、タブ端子１１６と呼ぶことがある。タブ端子１１６は、一般に、平面であり、嵌合端部２００とケーブル端部２０２との間を延びる。
【００１６】
タブ端子１１６は、タブ端子１１６の先端２１０とケーブル端部２０２との間を長手軸２０８に沿って延びる側面２０４を含む。タブ端子１１６は、タブ端子１１６の底部および上部にそれぞれ前縁部２１２および後縁部２１４を含む。前縁部２１２は、ヘッダ端子１１４に差し込まれるように構成されたタブ端子１１６の縁部である。
【００１７】
タブ端子１１６はケーブル１０６の端部２２０に終端される。ケーブル１０６は、タブ端子１１６に電気的に接続される内部導体２２２を含む。例示的な実施形態では、内部導体２２２は、タブ端子１１６のケーブル端部２０２に溶接または圧着されるように構成された複数の導電性ストランドを有するストランドコアを含む。ケーブル１０６は、内部導体２２２を囲む内側ジャケット２２４を含む。内側ジャケット２２４は、誘電体から製造され、内部導体２２２のストランドを収容し、内部導体２２２を電気的に絶縁するために使用される。ケーブル１０６は、内側ジャケット２２４を囲むケーブルシールド２２６と、ケーブルシールド２２６を囲むケーブルジャケット２２８とを含む。ケーブルシールド２２６は、内部導体２２２を電気シールドする。
例示的な実施形態では、ケーブルシールド２２６は、ストランド編組ケーブルシールド２２６である。例示的な実施形態では、ケーブルジャケット２２８はケーブル１０６の外側ジャケットである。ケーブル１０６は、代替実施形態では、他の層があってもよい。他の様々な実施形態では、ケーブル１０６は、ストランド内部導体を有するというよりも、コアに１つまたは複数の撚り対線を含むことができる。
【００１８】
図３は、例示的な実施形態による電力ケーブル１０６とフェルールアセンブリ１５０の一部分との斜視図である。フェルールアセンブリ１５０は端部シールド２４０を含み、端部シールド２４０は、電気シールド１４６（図１に示した）の一部であってもよく、または電気シールド１４６に電気的に接続されてもよい。端部シールド２４０は、その終端端部で内側フェルール２４２へ延びる。フェルールアセンブリ１５０は、内側フェルール２４２の半径方向外側に位置決めされるように構成された外側フェルール２４４と、内側フェルール２４２の半径方向内側に位置決めされるように構成された内側フェルールスリーブ２４６とを含む。
【００１９】
外側フェルール２４４は、端部シールド２４０をケーブル１０６の端部２２０に接続する前にケーブル１０６の端部２２０の上を滑らされるように構成される。外側フェルール２４４は、フェルールアセンブリ１５０をケーブル１０６に圧着するために使用される。
【００２０】
内側フェルールスリーブ２４６は、ケーブル１０６を保護するために使用される。例えば、内側フェルールスリーブ２４６は、内側ジャケット２２４を内側フェルール２４２から保護する。内側フェルールスリーブ２４６は、以下でより詳細に説明するように、内部導体２２２をケーブルシールド２２６から保護する。
【００２１】
図４は、例示的な実施形態による内側フェルールスリーブ２４６の斜視図である。スリーブ２４６は、ほぼ円筒形の形状であり、前部２５０と後部２５２との間を長さ方向軸２４８に沿って延びる。スリーブ２４６は、後部２５２にリップ２５４を含む。リップ２５４は、スリーブ２４６を内側フェルール２４２（図３に示した）に位置決めするために使用される。
【００２２】
スリーブ２４６は、前部２５０と後部２５２との間をスリーブ２４６に沿って長さ方向に延びる切れ目２５６を含む。切れ目２５６により、スリーブ２４６は、内側フェルール２４２に嵌まるように直径を変化させることができる。例えば、スリーブ２４６は、切れ目２５６を挟んで互いに面する縁部２５８、２６０を含む。通常位置または静止位置では、縁部２５８、２６０は、互いに離間しており、それらの間に間隙２６２を画定する。切れ目２５６のところで縁部２５８、２６０を一緒に押しつけることによって、例えば、縁部２５８、２６０が互いに係合するまでなど、スリーブ２４６を押し縮めることができる。スリーブ２４６が押し縮められるにつれて、スリーブ２４６の直径は、例えば内側フェルール２４２に嵌まるようになど、変化する。
押し縮められた後に、スリーブ２４６は、通常位置または静止位置に戻るようにスリーブ２４６を外側に付勢する内部ばね付勢を有することができる。スリーブ２４６が内側フェルール２４２に位置決めされた後、内部付勢力を使用して、スリーブ２４６が内側フェルール２４２に取り付けられるときスリーブ２４６を内側フェルール２４２に押しつけ保持することができる。
【００２３】
例示的な実施形態では、スリーブ２４６は、内側フェルール２４２に係合するように構成された外面２６４と、外面２６４の反対側の内面２６６とを含む。内面２６６は、内側ジャケット２２４（図３に示した）に係合するように構成される。
【００２４】
例示的な実施形態では、スリーブ２４６は、内面２６６から内部に延びる締まり嵌め隆起２６８を含む。締まり嵌め隆起２６８は、内側フェルールスリーブ２４６をケーブル１０６に固定するために内側ジャケット２２４に埋め込まれるように構成される。任意の数の締まり嵌め隆起２６８を設けることができる。締まり嵌め隆起２６８は、実施形態に応じて任意のサイズまたは形状を有することができる。図示の実施形態では、締まり嵌め隆起２６８は、平らな内面と丸い縁または角とを有する略矩形である。締まり嵌め隆起２６８は、その中に刻み目をつけるかまたは溝もしくはスロットを有して、スリーブ２４６とケーブル１０６との間の摩擦または保持力を増加させることができる。
図示の実施形態では、締まり嵌め隆起２６８の各々は前部２５０から同じ深さに位置決めされているが、しかしながら、締まり嵌め隆起２６８は、代替実施形態では内面２６６において軸方向にオフセットされてもよい。
【００２５】
図５は、内側フェルール２４２に受け取られた内側フェルールスリーブ２４６を示すフェルールアセンブリ１５０の一部分の斜視図である。スリーブ２４６は、端部シールド２４０の後ろから内側フェルール２４２に装着することができる。スリーブ２４６は、内側フェルール２４２に嵌まるように押し縮めることができる。スリーブ２４６は、リップ２５４が内側フェルール２４２の後縁部２７０に係合するまで内側フェルール２４２内に装着されてよい。スリーブ２４６は、スリーブ２４６の外面２６４が内側フェルール２４２の内面２７２に係合するように内側フェルール２４２に受け取られる。内面２７２は、内側フェルール２４２の外面２７４の反対側に位置している。
【００２６】
図示の実施形態では、内側フェルール２４２は円筒形状であるが、しかしながら、内側フェルール２４２は代替実施形態では他の形状であってもよい。スリーブ２４６が内側フェルール２４２に受け取られると、スリーブ２４６は、内側フェルール２４２の内面２７２に沿って並ぶ。スリーブ２４６は、締まり嵌めによってスリーブ２４６を内側フェルール２４２に保持するように内側フェルール２４２に対してばね付勢されてもよい。リップ２５４は、後縁部２７０を覆う。そのため、内側フェルール２４２のいかなる部分も、ケーブル１０６を受け取るスリーブ２４６の内側ケーブルチャンネル内に露出されない。
スリーブ２４６は、ケーブル１０６を内側フェルール２４２から絶縁する。スリーブ２４６は、ケーブル１０６を内側フェルール２４２への接触から保護することができる。その接触は、そうでない場合、ケーブル１０６を、切断または損傷することがあり、および／またはスリーブがない場合、内側フェルール２４２に電気的に短絡させることがある。
【００２７】
図６は、部分的に組み立てられた状態のフェルールアセンブリ１５０および電力ケーブル１０６の断面図である。図７は、組み立てられた状態のフェルールアセンブリ１５０および電力ケーブル１０６の断面図である。図８は、組み立てられた状態のフェルールアセンブリ１５０および電力ケーブル１０６の一部分の断面図であり、電力ケーブル１０６に結合されたフェルールアセンブリ１５０の拡大された状態を示す。
【００２８】
組み立ての間、外側フェルール２４４はケーブル１０６の端部２２０に装着されている。外側フェルール２４４は、ケーブル１０６に面する内面２８０と、内面２８０の反対側の外面２８２とを含む。外側フェルール２４４は、外側フェルール２４４をケーブル１０６の端部２２０の上に装着できるようにするためにケーブル１０６の外径より大きい内径を有する。
【００２９】
ケーブル１０６の端部２２０は、フェルールアセンブリ１５０への終端に向けてケーブル１０６を準備するために必要な長さに切断され剥がされる。例えば、ケーブルジャケット２２８の長さは、ケーブルシールド２２６を露出するために除去される。追加として、内側ジャケット２２４の長さは、内部導体２２２の一部分を露出するために除去される。内部導体２２２の露出された端部は、タブ端子１１６（図２に示した）に終端されるように構成される。例えば、組み立てられると、タブ端子１１６はケーブル１０６の端部２２０に終端され、フェルールアセンブリ１５０は、ケーブル１０６上で、端部２２０およびタブ端子１１６から離間した場所に配置される。ケーブルシールド２２６の露出した端部は、マンドレルなどを使用して外側に拡げられ、長さが切断される。
ケーブルシールド２２６の端部が外側に拡げられると、間隙２８４が、ケーブルシールド２２６の内側と内側ジャケット２２４の外側との間に画定される。
【００３０】
組み立ての際、内側フェルール２４２および内側フェルールスリーブ２４６は、ケーブル１０６の端部２２０に装着される。内側フェルール２４２および内側フェルールスリーブ２４６は、間隙２８４に受け取られるように構成される。ケーブル１０６の端部２２０は、内側フェルール２４２およびスリーブ２４６の内部ケーブル穴を通過する。内側フェルール２４２は、内側フェルールスリーブ２４６および内側フェルール２４２がケーブルシールド２２６と内側ジャケット２２４（図７に示した）との間に位置決めされるように間隙２８４内に装着される。組み立てられると、ケーブルシールド２２６は内側フェルール２４２の外面２７４に沿って延びる。
【００３１】
内側フェルール２４２およびスリーブ２４６が間隙２８４内にケーブル１０６に沿って位置決めされた後、外側フェルール２４４は、ケーブルシールド２２６および内側フェルール２４２の上を前方に滑らせることができる。外側フェルール２４４は、ケーブルシールド２２６が半径方向において内側フェルール２４２と外側フェルール２４４との間に位置決めされた状態で、外側フェルール２４４が略軸方向において内側フェルール２４２と整列するように移動される。内側フェルール２４２は電導性であり、内側フェルール２４２は、ケーブルシールド２２６が内側フェルール２４２の外面２７４に直接係合するとケーブルシールド２２６に電気的に接続される。
例示的な実施形態では、外側フェルール２４４は、ケーブルシールド２２６および内側フェルール２４２のまわりに圧着される。例えば、例示的な実施形態では、外側フェルール２４４は内側フェルール２４２のまわりに六角圧着されてもよい。
【００３２】
例示的な実施形態では、内側フェルールスリーブ２４６は、内側フェルール２４２とケーブル１０６の内側ジャケット２２４との間に画定された空間２８６を実質的に満たす。例えば、内側フェルールスリーブ２４６の外面２６４は、内側フェルール２４２の内面２７２に押しつけられ得る。スリーブ２４６の内面２６６は内側ジャケット２２４に面することができる。締まり嵌め隆起２６８は内側ジャケット２２４に係合することができる。オプションとして、内側ジャケット２２４が、スリーブ２４６の内面２６６に係合してもよい。
【００３３】
空間２８６を実質的に満たすことによって、スリーブ２４６は、ケーブルシールド２２６のストランドのどれも内側フェルール２４２の内部に入り込まないことを確実にする。例えば、ケーブル１０６が内側フェルール２４２に装着されたときに空間２８６内でのケーブルシールド２２６からばらばらになったストランドは、いずれも、内側フェルールスリーブ２４６によって後方または外方向へ整えられる。そのため、ストランドのどれも、そのようなストランドが内部導体２２２と短絡する可能性のある内側フェルール２４２および／または端部シールド２４０内に不用意に延びることはない。
【００３４】
例示的な実施形態では、ケーブルシールド２２６のストランドが内側ジャケット２２４を越えて端部シールド２４０内に延びて内部導体２２２に接触し、それにより、電力ケーブル１０６が潜在的に短絡するのを避けるために、ケーブルシールド２２６は、内側フェルール２４２の外面２７４の周囲を覆う。内側フェルールスリーブ２４６は、ケーブル１０６を不用意に短絡させないように空間２８６を満たす。
【００３５】
例示的な実施形態では、外面２６４と内面２６６との間に画定される内側フェルールスリーブ２４６の厚さ２８８（図８に示した）は、空間２８６を実質的に満たすように選択することができる。例えば、異なる直径のケーブル１０６および／または異なる直径の内側フェルール２４２とともに使用されるように、異なる厚さ２８８を有する一群の内側フェルールスリーブ２４６を用意することができる。異なる厚さを有する内側フェルールスリーブ２４６を利用することによって、製造コストを増加させ得る内側フェルール２４２の再設計または取り替えを必要とすることなしに、同じ端部シールド２４０および内側フェルール２４２を様々な異なる直径のケーブル１０６で使用することができる。
一群の内側フェルールスリーブ２４６は、異なる厚さの内側フェルールスリーブ２４６を用意するために異なる厚さを有する型を使用することによってかなり容易に製造することができる。そのため、このシステムを製造する全体的コストを低減させることができる。
【００３６】
図９は、電力ケーブル１０６に終端されたフェルールアセンブリ１５０の一部分の断面図である。図９は、内側フェルールスリーブ２４６の内部にあり、内側フェルールスリーブ２４６によって囲まれた内部導体２２２および内側ジャケット２２４を示す。内側フェルール２４２は内側フェルールスリーブ２４６を囲む。ケーブルシールド２２６は、内側フェルール２４２と外側フェルール２４４との間に終端されて示されている。外側フェルール２４４は、内側フェルール２４２およびケーブル１０６のまわりに圧着されて示されている。内側フェルールスリーブ２４６は、内側フェルール２４２と内側ジャケット２２４との間の空間２８６を実質的に満たして示されている。
締まり嵌め隆起２６８は、内側ジャケット２２４に食い込んでおよび／または埋め込まれて示されており、これは、フェルールアセンブリ１５０をケーブル１０６に軸方向におよび／または回転可能に固定するのに役立つことができる。図９は、内側フェルール２４２と外側フェルール２４４との間のケーブルシールド２２６の個々のストランドを示している。内側フェルールスリーブ２４６は、ケーブルシールド２２６のストランドのそれぞれが、内側フェルール２４２の内部に不用意に入り込んで潜在的に内部導体２２２に短絡しないように、空間２８６を実質的に満たしおよび／または妨げるので、ケーブルシールド２２６のストランドのどれも空間２８６に位置しない。
【００３７】
上述の説明は、例示のためのものであり、限定のためのものでないことを理解されたい。例えば、上述の実施形態（および／またはその態様）は互いに組み合わせて使用されてもよい。加えて、特定の状況または材料に適応させるために、本発明の範囲から逸脱することなく発明の教示に多くの変更を加えることができる。本明細書に記載された様々な構成要素の寸法、材料のタイプ、配向、ならびに様々な構成要素の数および位置は、いくつかの実施形態のパラメータを定義するためのものであり、決して限定ではなく、単なる例示的な実施形態である。特許請求の範囲の趣旨および範囲内の多くの他の実施形態および変更が、上述の説明を検討すると、当業者には明らかであろう。したがって、本発明の範囲は、添付の特許請求の範囲を参照して決定されるべきである。
【図１】
2019523536.tif 000003
【図２】
2019523536.tif 000004
【図３】
2019523536.tif 000005
【図４】
2019523536.tif 000006
【図５】
2019523536.tif 000007
【図６】
2019523536.tif 000008
【図７】
2019523536.tif 000009
【図８】
2019523536.tif 000010
【図９】
2019523536.tif 000011
【国際調査報告】
2019523536.tif 000012
2019523536.tif 000013
2019523536.tif 000014